(57)【要約】【課題】非防水の表示灯を収納する表示灯用防水ケースにおいて、簡易な施工によって表示灯の防湿、防水性能を確保できる表示灯用防水ケースを提供する。【解決手段】まず壁等に取付けられたケース１４ａの灯具取付金具１７ａに誘導灯２００を取付ける。次にケース１４ａにカバー１２ａをはめ込み、枠１１ａをケース１４ａにはめ込み仮組みする。仮組み状態ではケース１２ａの周縁部分１２ａ−１はカバーパッキン１５ａに接触し同時に貫通穴１１ａ−１、１１ａ−２周辺の枠１１ａの部分とケース１４ａの平坦部１４ａ−３，１４ａ−４との間には枠取付用ネジ２１ａ−１，２１ａ−２の締付量に対応する隙間がある。枠取付用ネジ２１ａ−１，２１ａ−２を締め込んでいくと隙間が減少するが枠１１ａ、ケース１４ａ等の部品には剛性があるため枠取付用ネジ２１ａ−１，２１ａ−２を締め込みで周縁部分１２ａ−１がカバーパッキン１５ａを押し圧する圧力が増加する。【選択図】図１
2010218994.tif 000002
【特許請求の範囲】
【請求項１】
表示灯を収納する表示灯用防水ケースにおいて、
前記表示灯が取り付けられる表示灯取付部を有すると共に、前記表示灯取付部の周囲に平面が形成され、前記平面上に周形状のパッキンを有するケースと、
前記表示灯取付部に取り付けられた状態の前記表示灯を覆うカバーであって、周縁部分が前記パッキンと接触して前記表示灯を密封状態で覆うカバーと、
前記カバーの前記周縁部分の周囲を囲むように前記カバーと組み合って前記カバーと共に前記ケースに取り付けられる枠であって、前記ケースへの取り付けに使用される枠取付用ネジが貫通する貫通穴が形成された枠と
備え、
前記枠取付用ネジを締め込むと、前記枠取付用ネジの締め込み量の増加に共なって前記カバーの前記周縁部分による前記パッキンを押し圧する圧力が増加することを特徴とする表示灯用防水ケース。
【請求項２】
前記カバーは、
前記枠と接触する接触部を備え、
前記枠取付用ネジを締め込むと、前記枠取付用ネジの締め込み量の増加に共なって前記枠が前記接触部を前記ケースの方向に押し圧することにより、前記カバーの前記周縁部分による前記パッキンを押し圧する圧力が増加することを特徴とする請求項１記載の表示灯用防水ケース。
【請求項３】
前記カバーと前記枠とは、
予め一体に組みつけられており、
前記枠取付用ネジは、
前記カバーと前記枠とが一体に組み付けられた状態で締め込まれることを特徴とする請求項１記載の表示灯用防水ケース。
【請求項４】
表示灯を収納する表示灯用防水ケースにおいて、
前記表示灯が取り付けられる表示灯取付部を有すると共に、前記表示灯取付部の周囲に平面が形成され、前記平面上に周形状のパッキンを有するケースと、
前記表示灯取付部に取り付けられた状態の前記表示灯を覆うカバーであって、周縁部分が前記パッキンと接触して前記表示灯を密封状態で覆うと共に、前記ケースへの取り付けに使用されるカバー取付用ネジが貫通する貫通穴が形成されたカバーと
備え、
前記カバー取付用ネジを締め込むと、前記カバー取付用ネジの締め込み量の増加に共なって前記カバーの前記周縁部分による前記パッキンを押し圧する圧力が増加することを特徴とする表示灯用防水ケース。
【請求項５】
前記カバーは、
開口を有する略箱状の箱形状部と、前記箱形状部の前記開口の周縁に形成された鍔形状の鍔部と、前記鍔部から前記箱形状部の４つの側面の起立する方向にそれぞれ対応して起立した４つの側面からなる側面部と有し、
前記側面部の端部は、
前記パッキンと接触する前記周縁部分を形成することを特徴とする請求項４記載の表示灯用防水ケース。
【発明の詳細な説明】
【技術分野】
【０００１】
この発明は、灯具あるいは点灯装置用の部品を収納する防水ケースに関する。
【背景技術】
【０００２】
従来の防水性の表示灯は構成が複雑で施工が容易ではなかった（例えば特許文献１）。また、従来の非防水の表示灯を密封収納する防水カバーも存在するが、施工性が良くなかった。
【先行技術文献】
【特許文献】
【０００３】
【特許文献１】特開平９−２５９６３２号公報
【発明の概要】
【発明が解決しようとする課題】
【０００４】
この発明は、非防水形の灯具または点灯用部品が使用でき、簡易な施工によって非防水の表示灯の防湿、防水性能を確保できる表示灯用防水ケースを提供する。
【課題を解決するための手段】
【０００５】
この発明の表示灯用防水ケースは、
表示灯を収納する表示灯用防水ケースにおいて、
前記表示灯が取り付けられる表示灯取付部を有すると共に、前記表示灯取付部の周囲に平面が形成され、前記平面上に周形状のパッキンを有するケースと、
前記表示灯取付部に取り付けられた状態の前記表示灯を覆うカバーであって、周縁部分が前記パッキンと接触して前記表示灯を密封状態で覆うカバーと、
前記カバーの前記周縁部分の周囲を囲むように前記カバーと組み合って前記カバーと共に前記ケースに取り付けられる枠であって、前記ケースへの取り付けに使用される枠取付用ネジが貫通する貫通穴が形成された枠と
備え、
前記枠取付用ネジを締め込むと、前記枠取付用ネジの締め込み量の増加に共なって前記カバーの前記周縁部分による前記パッキンを押し圧する圧力が増加することを特徴とする。
【発明の効果】
【０００６】
この発明により、非防水形の灯具または点灯用部品が使用でき、簡易な施工によって非防水の表示灯の防湿、防水性能を確保できる表示灯用防水ケースを提供できる。
【図面の簡単な説明】
【０００７】
【図１】実施の形態１における表示灯用防水ケース１１０の構成を示す図。
【図２】実施の形態１における表示灯用防水ケース１１０の側面図。
【図３】実施の形態１における押し圧を説明するための便宜的な図。
【図４】実施の形態２における表示灯用防水ケース１２０の構成を示す図。
【図５】図４から枠１１ｂを抜き出した図。
【図６】実施の形態２におけるカバー押さえ部の加工工程を示す図。
【図７】実施の形態２におけるＢ−Ｂ断面図。
【図８】実施の形態３における表示灯用防水ケース１３０の構成を示す図。
【発明を実施するための形態】
【０００８】
以下では実施の形態１〜３を説明する。以下の実施の形態では、表示灯用防水ケースを説明するが、符号「〜ａ」は実施の形態１を示し、符号「〜ｂ」は実施の形態２を示し、符号「〜ｃ」は実施の形態３を示すものとする。また、以下の実施の形態１〜３では表示灯用防水ケースは誘導灯を収納するが、実施の形態１〜３の表示灯用防水ケースは、誘導灯に限らず何かしらを表示する表示灯を収納する防水ケースである。
【０００９】
実施の形態１．
図１〜図３を参照して、実施の形態１を説明する。図１は実施の形態１の表示灯用防水ケース１１０の組み立て後（図１（ａ））及び組み立て過程（図１（ｂ））を示す。表示灯用防水ケース１１０は、既存の非防水形の誘導灯２００を使用できる器具防水ケースである。表示灯用防水ケース１１０は、誘導灯２００を取り付けるケース１４ａと、内部を覆い透光性を有しケース１４ａに勘合するカバー１２ａとを有する。カバー１２ａとケース１４ａの勘合部は、カバーパッキン１５ａによって水や湿気の浸入が防止される。カバーパッキン１５ａはケース１４ａに取り付けられている。また、ケース１４ａには背面に電源線の取り込み及び造営材に取り付けるための穴（１４ａ−５）が形成されている。この穴（１４ａ−５）からの水の浸入を防ぐために、背面外側に背面パッキン１６ａが設けられている。
【００１０】
（取り付けの概要）
表示灯用防水ケース１１０は、枠１１ａによりカバー押さえ金具（１３ａ−１），（１３ａ−２）をケース１４ａに押し込んで取り付け、密閉を形成するタイプである。（図１（ｂ））に示すように、カバー１２ａに板状の部材（カバー押さえ金具（１３ａ−１），（１３ａ−２））を向かい合った２辺に取り付ける。カバー押さえ金具（１３ａ−１），（１３ａ−２）はカバー１２ａの辺より左右わずかに長い。枠１１ａは内側がカバー１２ａの外形よりは大きく、カバー押さえ金具（１３ａ−１），（１３ａ−２）よりは短い辺を有する。枠１１ａはケース１４ａに枠取付用ネジ（２１ａ−１），（２１ａ−２）で止める。ケース１４ａを造営材に固定してケース１４ａに誘導灯２００を取り付けて、カバー１２ａをかぶせ、その上から枠１１ａを取り付ける。枠１１ａをケース１４ａに枠取付用ネジ（２１ａ−１），（２１ａ−２）で固定する作業で、枠１１ａがカバー押さえ金具（１３ａ−１），（１３ａ−２）をカバー１２ａごとケース１４ａ側に押し込み、カバー１２ａの周縁部分（１２ａ−１）が、カバーパッキン１５ａを押し圧して密閉構造を形成する。これによって、空間側から誘導灯２００を取り付けた表示灯用防水ケース１１０内部への湿気や、水の浸入を防ぐことができる。
【００１１】
図１（ｂ）に示すように、表示灯用防水ケース１１０は、枠１１ａ、カバー１２ａ、カバー押さえ金具（１３ａ−１）、（１３ａ−２）、ケース１４ａ、カバーパッキン１５ａ、背面パッキン１６ａ、灯具取付金具１７ａ（表示灯取付部）で構成されている。
【００１２】
（１）ケース１４ａは、誘導灯２００（表示灯）が取り付けられる灯具取付金具１７ａを有する。この灯具取付金具１７ａに誘導灯２００が固定される。またケース１４ａは、灯具取付金具１７ａの周囲に平面が形成されており、この平面上に周形状のカバーパッキン１５ａが取り付けられている。また、ケース１４ａには枠取付用ネジ（２１ａ−１），（２１ａ−２）が貫通する貫通穴（１４ａ−１），（１４ａ−２）が形成されている。貫通穴（１４ａ−１），（１４ａ−２）には枠取付用ネジ（２１ａ−１），（２１ａ−２）に対応した雌ネジが形成されてもよいし、貫通穴（１４ａ−１），（１４ａ−２）を貫通した枠取付用ネジ（２１ａ−１），（２１ａ−２）をナット止めしてもよい。以下の実施の形態２、３の場合も同様である。
（２）カバー１２ａは、灯具取付金具１７ａに取り付けられた状態の誘導灯２００を覆うカバーである。カバー１２ａは、その周縁部分（１２ａ−１）がカバーパッキン１５ａと接触して誘導灯２００を密封状態で覆う。
（３）枠１１ａは、カバー１２ａの周縁部分（１２ａ−１）の周囲を囲むようにカバー１２ａと組み合ってカバー１２ａと共にケース１４ａに取り付けられる。枠１１ａは、ケース１４ａへの取り付けに使用される枠取付用ネジ（２１ａ−１），（２１ａ−２）が貫通する貫通穴（１１ａ−１），（１１ａ−２）が形成されている。
【００１３】
（カバー１２ａ）
カバー押さえ金具（１３ａ−１）、（１３ａ−２）は、例えば平板の金属である。カバー押さえ金具（１３ａ−１）、（１３ａ−２）は、カバー１２ａにネジ等で固定される。カバー１２ａは略角筒状であり、開口部がケースの側壁（１４ａ−６）の内側に勘合し、周縁部分（１２ａ−１）がカバーパッキン１５ａと接触する。
【００１４】
（ケース１４ａ）
ケース１４ａは、一面側が開口した有底の略箱状をなし、底部の周端から略角筒状をなす側壁（１４ａ−６）を立設させ、その側壁（１４ａ−６）の先端側が開口とされている。その側壁（１４ａ−６）の付根部の周縁面にはカバーパッキン１５ａが貼られている。カバーパッキン１５ａは、カバー１２ａが勘合されたとき、カバー１２ａの周縁部分（１２ａ−１）がカバーパッキン１５ａに押し込まれる。これにより誘導灯２００が密閉され、防湿、防水性が確保される。ケース開口部の対面側には、電源線を引き込む穴（１４ａ−５）が設けられている。その側の外側には背面パッキン１６ａが貼られ、建築躯体である例えば壁等に取り付けられたときに、穴（１４ａ−５）が密閉されて防湿、防水性が確保されるようになっている。
【００１５】
（枠１１ａ）
枠１１ａは、二面が開口した略箱状をなし、一面はもう一面より一回り小さい開口をなしている。小さい開口面に枠取付用ネジ（２１ａ−１），（２１ａ−２）の貫通する貫通穴（１１ａ−１），（１１ａ−２）が設けてある。
【００１６】
（組み立て工程）
組み立ては、次の手順で行う。誘導灯２００はケース１４ａの灯具取付金具１７ａに取り付けられている状態を前提とする。ケース１４ａにカバー１２ａをはめ込み、枠１１ａをケース１４ａに枠取付用ネジ（２１ａ−１），（２１ａ−２）で固定する。このとき枠１１ａの一回り小さい開口面（後述の平坦部（１１ａ−３））が、カバー１２ａに取り付けたカバー押さえ金具（１３ａ−１）、（１３ａ−２）（接触部）を押すことにより、カバー１２ａの平坦部（１１ａ−３）が、カバーパッキン１５ａに押し込まれて密着し、防湿、防水性が確保される。
【００１７】
図２、図３を参照して、組み立て過程をさらに詳しく説明する。図２は、組み立て後の図１（ａ）をＸ方向からみた側面図（断面図）に相当する図である。図３は、ケース端部の周縁部分（１２ａ−１）がカバーパッキン１５ａを押し圧する状態を説明するための、図２に相当する、便宜的な図である。誘導灯２００が灯具取付金具１７ａに取り付けられている状態でケース１４ａにカバー１２ａをはめ込む。図３を参照して説明する。
（１）カバーパッキンとカバー：
ケース端部の周縁部分（１２ａ−１）とカバーパッキン１５ａとは仮り組み状態で接触するようになっている。「仮り組み状態」とは、枠取付用ネジ（２１ａ−１），（２１ａ−２）を締めこむ直前の状態を意味する。
（２）カバー押さえ金具と枠：
仮り組み状態では、枠１１ａのケース側の平坦部（１１ａ−３）は上部のカバー押さえ金具（１３ａ−１）、及び下部のカバー押さえ金具（１３ａ−２）に当接している。
（３）枠とケース；
また、表示灯用防水ケース１１０は、仮り組み状態では、枠１１ａのケース側の平坦部（１１ａ−３）と、平坦部（１１ａ−３）に対向するケース１４ａの平坦部（１４ａ−３）、（１４ａ−４）との間に、枠取付用ネジ（２１ａ−１），（２１ａ−２）によって締め付けられる分の隙間Ｂが存在するように設計されている。
（４）枠取付用ネジ（２１ａ−１），（２１ａ−２）を締め込んでいくと、ケース１４ａの平坦部（１４ａ−３）、（１４ａ−４）に対して枠１１ａの平坦部（１１ａ−３）が近づいて行くが、このとき平坦部（１１ａ−３）はカバー押さえ金具（１３ａ−１）、（１３ａ−２）に当接しているので、カバー押さえ金具（１３ａ−１）、（１３ａ−２）は枠１１ａの平坦部（１１ａ−３）に押される。このため、枠取付用ネジ（２１ａ−１），（２１ａ−２）を締め込んでいくと、その締め込み量の増加に共なって、枠１１ａがカバー押さえ金具（１３ａ−１）、（１３ａ−２）をケースの方向に押し圧することにより、カバー１２ａの周縁部分（１２ａ−１）によるカバーパッキン１５ａを押し圧する圧力が増加する。したがって、表示灯用防水ケース１１０は、枠取付用ネジの締め込み量の増加にともなって、カバー１４ａの周縁部分（１２ａ−１）によるカバーパッキン１５ａを押し圧する圧力が増加する。このように枠取付用ネジ（２１ａ−１），（２１ａ−２）を締め込んでいくと隙間Ｂが小さくなっていくが、枠１１ａ、ケース１４ａ等の部品には剛性がある。このため、枠取付用ネジ（２１ａ−１），（２１ａ−２）を締め込んでいくと、結果としてカバー１２ａの周縁部分（１２ａ−１）がカバーパッキン１５ａを押し圧する圧力が増加する。
【００１８】
実施の形態２．
図４〜図７を参照して実施の形態２の表示灯用防水ケース１２０を説明する。
図４は、実施の形態２の表示灯用防水ケース１２０の組み立て後（図４（ａ））及び組み立て過程（図４（ｂ））を示す図である。
図５は、図４から枠１１ｂを抜き出した図である。
図６は、枠１１ｂのカバー押さえ部（１１ｂ−５）の加工工程を示す図である。
図７は、図５に示す枠１１ｂのＢ−Ｂ断面図である。
【００１９】
表示灯用防水ケース１２０は、図４に示すように、実施の形態１の表示灯用防水ケース１１０のカバー押さえ金具（１３ａ−１），（１３ａ−２）に相当するカバー押さえ部（１１ｂ−５）、（１１ｂ−６）を、枠１１ｂに形成した構成である。
【００２０】
このように、表示灯用防水ケース１２０は、カバー押さえ部（１１ｂ−１）、（１１ｂ−２）が枠１１ｂと一体となった構造である。枠１１ｂの内側にカバー１２ｂ側面と平行に接する部分（前述のカバー押さえ部）を設ける。カバー１２ｂと枠１１ｂとは側面の接した部分でネジ（２２ｂ−１）〜（２２ｂ−４）により固定し、一体化する。枠１１ｂをケース１４ｂに枠取付用ネジ（２１ｂ−１），（２１ｂ−２）で固定することにより、カバー１２ｂがケース１４ｂ側に押し込まれて周縁部分（１２ｂ−１）がカバーパッキン１５ｂを押し圧して密閉構造を形成する。
【００２１】
図６に示すように、カバー押さえ部（１１ｂ−５），（１１ｂ−６）は、例えば、枠１１ｂに残された平板部分を矢印の方向に折り曲げて形成する。このように、枠１１ｂの小さい開口面側の少なくとも２辺に側壁であるカバー押さえ部（１１ｂ−５）、（１１ｂ−６）を設け、カバー押さえ部（１１ｂ−５）、（１１ｂ−６）にカバー１２ｂをネジ（２２ｂ−１）〜（２２ｂ−４）にて固定する。これにより、カバー１２ｂと枠１１ｂとは、予め一体に組みつけられる。図７（Ｂ−Ｂ断面図）は、カバー１２ｂと枠１１ｂとのネジどめ状態を示している。
【００２２】
（組み立て工程）
組み立て時、枠１１ｂをケース１４ｂに枠取付用ネジ（２１ａ−１），（２１ａ−２）で取り付ける過程で、カバー１２ｂの周縁部分（１２ｂ−１）がカバーパッキン１５ｂに押し込まれる。これにより、防湿、防水性を確保する構成となっている。
【００２３】
すなわち、表示灯用防水ケース１２０は、表示灯用防水ケース１１０に対して、カバー押さえ金具（１３ａ−１）、（１３ａ−２）をカバー押さえ部（１１ｂ−５）、（１１ｂ−６）とした構成が異なるのみであり、ケース１４ｂはケース１４ａと同じ構成である。予め枠１１ｂがネジどめされたカバー１２ｂをケース１４ｂに仮り組みすると、表示灯用防水ケース１１０の場合と同様に、枠１１ｂとケース１４ｂとの相対位置は、図３と同じ状態となるように設計されている。つまり、表示灯用防水ケース１１０と同様に、表示灯用防水ケース１２０は仮り組み状態において隙間Ｂが存在するように設計されており、枠取付用ネジ（２１ｂ−１），（２１ｂ−２）を締め込んでいくと隙間Ｂが小さくなっていくが、枠１１ｂ、ケース１４ｂ等の部品には剛性がある。このため、枠取付用ネジ（２１ｂ−１），（２１ｂ−２）を締め込んでいくと、結果としてカバー１２ｂの周縁部分（１２ｂ−１）がカバーパッキン１５ｂを押し圧する圧力が増加する。
【００２４】
実施の形態３．
図８を参照して実施の形態３の表示灯用防水ケース１３０を説明する。表示灯用防水ケース１３０は、枠１１とカバー１２とが一体化された表示灯用防水ケースである。表示灯用防水ケース１３０は、カバー１２ｃのみで密閉を形成するタイプである。カバー１２ｃをカバー取付用ネジ（２１ｃ−１），（２１ｃ−２）により直接ケース１４ｃのカバー取付金具（１８ｃ−１）、（１８ｃ−２）に固定する。カバー取付用ネジ（２１ｃ−１），（２１ｃ−２）を締めていくことにより、カバー１２ｃの周縁部分（１２ｃ−１）がカバーパッキン１５ｃを押し圧して密閉構造を形成する。また、カバー１２ｃの形状を、中心部が高く、周辺部が低くなった段状に成形することで、カバー１２ｃの剛性が強まり、カバー取付用ネジ（２１ｃ−１），（２１ｃ−２）をより強く締めることができる。このため、周縁部分（１２ｃ−１）とカバーパッキン１５ｃとの密着性が増し、カバー１２ｃとケース１４ｃとの密閉度を高めることができる。
【００２５】
カバー１２ｃは枠１１とカバー１２とを一体化した形状である。ケース１４ｃは、実施の形態１のケース１４ａに対して、平坦部（１４ａ−３），（１４ａ−４）に対応するカバー取付金具（１８ｃ−１）、（１８ｃ−２）を備える構成である。
【００２６】
（組み立て工程）
カバー１２ｃには開口面と対面側に少なくとも２ヶ所のカバー取付用ネジの貫通する貫通穴（１１ｃ−１）、（１１ｃ−２）を設けている。カバー１２ｃをケース１４ｃにはめ込み、仮り組みする。この仮り組みの状態において、表示灯用防水ケース１３０は、図３のように、ケース端部の周縁部分（１２ｃ−１）とカバーパッキン１５ｃとが接触するようになっている。また、この仮り組み状態では、カバー１２ｃのケース１４ｃ側の平坦部（１１ｃ−３）（鍔部１２ｃ−４の一部である）と、この平坦部（１１ｃ−３）に対向するカバー取付金具（１８ｃ−１）、（１８ｃ−２）の平坦部（１４ｃ−３）、（１４ｃ−４）との間に、カバー取付用ネジ（２１ｃ−１），（２１ｃ−２）によって締め付けられる分の隙間Ｂが存在するように設計されている。カバー取付用ネジ（２１ｃ−１），（２１ｃ−２）を締め込んでいくと平坦部（１４ｃ−３）、（１４ｃ−４）に対してカバー１２ｃの平坦部（１１ｃ−３）が近づいて行くが、カバー１２ｃ、カバー取付金具１８ｃ等の部品には剛性がある。このため、カバー取付用ネジ（２１ｃ−１），（２１ｃ−２）を締め込んでいくと、結果として、カバー１２ｃの周縁部分（１２ｃ−１）がカバーパッキン１５ｃを押し圧する圧力が増加する。
【００２７】
カバー１２ｃは図８のように、開口面と対面側が２段となっている。図８（ｂ）に示すように、カバー１２ｃは、開口を有する略箱状の箱形状部（１２ｃ−６）と、箱形状部（１２ｃ−６）の開口の周縁に形成された鍔形状の鍔部（１２ｃ−４）と、鍔部（１２ｃ−４）から箱形状部（１２ｃ−６）の４つの側面（１２ｃ−３）の起立する方向にそれぞれ対応して起立した４つの側面からなる側面部（１２ｃ−５）と有している。そして、仮り組み状態において側面部（１２ｃ−５）の端部（周縁部分１２ｃ−１）は、カバーパッキン１５ｃと接触する。このように、カバー１２ｃの曲部が増えることにより、カバー１２ｃの剛性が高まり、カバー取付用ネジ（２１ｃ−１），（２１ｃ−２）で固定した場合、カバー１２ｃの変形をより抑えられるとともに、このネジで締めていく際、カバー１２ｃをカバーパッキン１５ｃにより強く押し込むことができるので防湿、防水性がより高まる。
【符号の説明】
【００２８】
１１ａ，１１ｂ，１１ｃ  枠、１１ａ−１，１１ａ−２  貫通穴、１１ａ−３  平坦部、１１ｂ−５，１１ｂ−６  カバー押さえ部、１１ｃ−１，１１ｃ−２  貫通穴、１１ｃ−３  平坦部、１２ａ，１２ｂ，１２ｃ  カバー、１２ａ−１，１２ｂ−１，１２ｃ−１  周縁部分、１２ｃ−３  側面、１２ｃ−４  鍔部、１２ｃ−５  側面部、１２ｃ−６  箱形状部、１３ａ−１，１３ａ−２  カバー押さえ金具、１４ａ，１４ｂ，１４ｃ  ケース、１４ａ−３，１４ａ−４  平坦部、１４ａ−５  穴、１４ａ−６  側壁、１４ｃ−３，１４ｃ−４  平坦部、１５ａ，１５ｂ，１５ｃ  カバーパッキン、１６ａ，１６ｂ，１６ｃ  背面パッキン、１７ａ，１７ｂ，１７ｃ  灯具取付金具、１８ｃ−１，１８ｃ−２  カバー取付金具、２１ａ−１，２１ａ−２  枠取付用ネジ、２１ｂ−１，２１ｂ−２  枠取付用ネジ、２１ｃ−１，２１ｃ−２  カバー取付用ネジ、２２ｂ−１〜２２ｂ−４  ネジ、１１０，１２０，１３０  表示灯用防水ケース、２００  誘導灯。
【図１】
2010218994.tif 000003
【図２】
2010218994.tif 000004
【図３】
2010218994.tif 000005
【図４】
2010218994.tif 000006
【図５】
2010218994.tif 000007
【図６】
2010218994.tif 000008
【図７】
2010218994.tif 000009
【図８】
2010218994.tif 000010